(57)【要約】【課題】  ＩＣＴ装置の吹出側空気温度を検出する温度センサを設けることなく、供給風量を制御可能な空調システムの一例を開示する。【解決手段】  制御部５３は、吸込温度（Ｔｍ＿ｉｎ）から供給温度（Ｔａｃ＿ｏｕｔ）が減じられた値が予め決められた第１閾値未満であり、かつ空調風量（Ｖａｃ）、吸込温度（Ｔｍ＿ｉｎ）及び機器発熱量（Ｑｍ）を利用して演算した情報通信技術用装置の吹出側の空気温度（ＶＴｍ＿ｏｕｔ）から前記戻り温度（Ｔａｃ＿ｉｎ）が減じられた値が予め決められた第２閾値より大きい場合に、現時の風量より風量を減少させる。【選択図】  図１
2020128848.tif 000002
【特許請求の範囲】
【請求項１】
情報通信技術用装置が設置されたサーバ室に適用される空調システムにおいて、
前記情報通信技術用装置から排出された空気を吸引し、当該空気を冷却して前記情報通信技術用装置の吸気側に冷風を供給するとともに、送風用のファンを有する空調機と、
前記空調機から吹き出される空気の温度を検出する第１温度センサと、
前記情報通信技術用装置の吸気側の空気温度を検出する第２温度センサと、
前記空調機に吸引される空気の温度を検出する第３温度センサと、
前記ファンの送風量を制御する制御部であって、第１風量制御モードが実行可能な制御部とを備え、
前記第１温度センサが検出した空気温度を供給温度とし、前記第２温度センサが検出した空気温度を吸込温度とし、前記第３温度センサが検出した空気温度を戻り温度とし、前記ファンの送風量を空調風量とし、前記情報通信技術用装置の発熱量を機器発熱量としたとき、
前記第１風量制御モードは、
前記吸込温度から前記供給温度が減じられた値が予め決められた第１閾値未満であり、かつ
前記空調風量、前記吸込温度及び前記機器発熱量を利用して演算した前記情報通信技術用装置の吹出側の空気温度から前記戻り温度が減じられた値が予め決められた第２閾値より大きい場合に、現時の風量より風量を減少させる制御モードである空調システム。
【請求項２】
前記制御部は、前記ファンの送風量を第２風量制御モードにて制御可能であり、
前記第２風量制御モードは、
前記吸込温度から前記供給温度を減じられた値が前記第１閾値より大きい場合に、現時の風量より風量を増大させる制御モードである請求項１に記載の空調システム。
【請求項３】
情報通信技術用装置が設置されたサーバ室に適用される空調システムにおいて、
前記情報通信技術用装置から排出された空気を吸引し、当該空気を冷却して前記情報通信技術用装置の吸気側に冷風を供給するとともに、送風用のファンを有する空調機と、
前記空調機から吹き出される空気の温度を検出する第１温度センサと、
前記情報通信技術用装置の吸気側の空気温度を検出する複数の第２温度センサであって、互いに異なる位置にて空気温度を検出する複数の第２温度センサと、
前記空調機に吸引される空気の温度を検出する第３温度センサと、
前記ファンの送風量を制御する制御部であって、第１風量制御モードが実行可能な制御部とを備え、
前記第１温度センサが検出した空気温度を供給温度とし、前記複数の第２温度センサそれぞれが検出した空気温度を吸込温度とし、前記第３温度センサが検出した空気温度を戻り温度とし、前記ファンの送風量を空調風量とし、前記情報通信技術用装置の発熱量を機器発熱量としたとき、
前記第１風量制御モードは、
複数の前記吸込温度のうち最も温度が高い吸込温度から最も温度が低い吸込温度が減じられた値が予め決められた第１閾値未満であり、かつ
前記空調風量、前記吸込温度及び前記機器発熱量を利用して演算した前記情報通信技術用装置の吹出側の空気温度から前記戻り温度が減じられた値が予め決められた第２閾値より大きい場合に、現時の風量より風量を減少させる制御モードである空調システム。
【請求項４】
前記制御部は、前記ファンの送風量を第２風量制御モードにて制御可能であり、
前記第２風量制御モードは、
複数の前記吸込温度のうち最も温度が高い吸込温度から最も温度が低い吸込温度が減じられた値が前記第１閾値より大きい場合に、現時の風量より風量を増大させる制御モードである請求項３に記載の空調システム
【発明の詳細な説明】
【技術分野】
【０００１】
本開示は、情報通信技術用装置（以下、ＩＣＴ装置ともいう。）が設置されたサーバ室に適用される空調システムに関する。
【背景技術】
【０００２】
例えば、特許文献１には、空調機を効率的に稼働させることを目的として、「ＩＣＴ装置の冷却に必要な風量（以下、必要風量という。）と空調機が供給する風量（以下、供給風量という。）とのバランスを取る」旨が記載されている。
【０００３】
通常、必要風量を確保するには、供給風量を当該必要風量より大きくする必要がある。そして、必要風量が変化すると、最適な供給風量も変化する。そこで、特許文献１に記載の発明では、ＩＣＴ装置の吹出側空気温度を検出する温度センサを設けて供給風量を制御している。
【先行技術文献】
【特許文献】
【０００４】
【特許文献１】特許第５４０２３０６号公報
【発明の概要】
【発明が解決しようとする課題】
【０００５】
しかし、ＩＣＴ装置の吹出側空気温度を検出する温度センサを設けることは、空調システムの複雑化及びコスト増を招くおそれが高い。
本開示は、上記点に鑑み、ＩＣＴ装置の吹出側空気温度を検出する温度センサを設けることなく、供給風量を制御可能な空調システムの一例を開示する。
【課題を解決するための手段】
【０００６】
情報通信技術用装置（３Ａ）が設置されたサーバ室に適用される空調システムは、例えば、以下の構成要件のうち少なくとも１つを備えることが望ましい。
すなわち、当該構成要件は、情報通信技術用装置（３Ａ）から排出された空気を吸引し、当該空気を冷却して情報通信技術用装置（３Ａ）の吸気側に冷風を供給するとともに、送風用のファン（５２）を有する空調機（５）と、空調機（５）から吹き出される空気の温度を検出する第１温度センサ（Ｓ１）と、情報通信技術用装置（３Ａ）の吸気側の空気温度を検出する第２温度センサ（Ｓ２）と、空調機（５）に吸引される空気の温度を検出する第３温度センサ（Ｓ３）と、ファン（５２）の送風量を制御する制御部（５３）であって、第１風量制御モードが実行可能な制御部（５３）とを備え、第１温度センサ（Ｓ１）が検出した空気温度を供給温度（Ｔａｃ＿ｏｕｔ）とし、第２温度センサ（Ｓ２）が検出した空気温度を吸込温度（Ｔｍ＿ｉｎ）とし、第３温度センサ（Ｓ３）が検出した空気温度を戻り温度（Ｔａｃ＿ｉｎ）とし、ファン（５２）の送風量を空調風量（Ｖａｃ）とし、情報通信技術用装置（３Ａ）の発熱量を機器発熱量（Ｑｍ）としたとき、第１風量制御モードは、吸込温度（Ｔｍ＿ｉｎ）から供給温度（Ｔａｃ＿ｏｕｔ）が減じられた値が予め決められた第１閾値未満であり、かつ空調風量（Ｖａｃ）、吸込温度（Ｔｍ＿ｉｎ）及び機器発熱量（Ｑｍ）を利用して演算した情報通信技術用装置の吹出側の空気温度（ＶＴｍ＿ｏｕｔ）から前記戻り温度（Ｔａｃ＿ｉｎ）が減じられた値が予め決められた第２閾値より大きい場合に、現時の風量より風量を減少させる制御モードであることである。
【０００７】
これにより、当該空調システムは、情報通信技術用装置（３Ａ）の吹出側空気温度を検出する温度センサを設けることなく、供給風量を適切に制御することが可能となり得る。
因みに、上記各括弧内の符号は、後述する実施形態に記載の具体的構成等との対応関係を示す一例であり、本開示は上記括弧内の符号に示された具体的構成等に限定されるものではない。
【図面の簡単な説明】
【０００８】
【図１】第１実施形態に係る空調システムの模式図である。
【図２】第１実施形態に係る空調システムの制御ブロック図である。
【図３】第１実施形態に係る空調システムの制御フローチャートである。
【図４】第１実施形態に係る空調システムの効果を説明するための図である。
【図５】第１実施形態に係る空調システムの制御フローチャートである。
【発明を実施するための形態】
【０００９】
以下の「発明の実施形態」は、本開示の技術的範囲に属する実施形態の一例を示すものである。つまり、特許請求の範囲に記載された発明特定事項等は、下記の実施形態に示された具体的構成や構造等に限定されるものではない。
【００１０】
なお、各図に付された方向を示す矢印等は、各図相互の関係を理解し易くするために記載されたものである。本開示に示された発明は、各図に付された方向に限定されるものではない。
【００１１】
少なくとも符号が付されて説明された部材又は部位は、「１つの」等の断りがされた場合を除き、少なくとも１つ設けられている。つまり、「１つの」等の断りがない場合には、当該部材は２以上設けられていてもよい。本開示に示された発明は、少なくとも符号が付されて説明された部材又は部位等の構成要素を備える。
【００１２】
（第１実施形態）
１．空調システムの概要
本実施形態は、サーバ室に適用される空調システムに本開示に係る空調システムの一例を適用したものである。サーバ室ＳＲ内には、図１に示されるように、少なくとも１台の空調機５及び少なくとも１つのラック３が設置されている。
【００１３】
空調機５は、サーバ室ＳＲ内に空調風（本実施形態では、冷風）を供給する。すなわち、当該空調機５は、冷却器５１、送風機５２及び制御部５３等を少なくとも有する。冷却器５１は、空気を冷却するための熱交換器である。
【００１４】
送風機５２は、サーバ室ＳＲ内から空気を吸引するとともに、冷却器５１を通過した空気を当該サーバ室ＳＲに供給するファンの一例である。制御部５３は、冷却器５１で発生させる冷却能力、及び送風機５２の送風量等のうちを少なくとも一方を制御する。
【００１５】
本実施形態に係る空調機５は、サーバ室ＳＲの天井からサーバ室ＳＲ内から空気を吸引し、サーバ室ＳＲの床下から冷風を当該サーバ室ＳＲ内に供給する。ラック３は、少なくとも１台（図１では、複数）のＩＣＴ装置３Ａが搭載される棚である。
【００１６】
複数のＩＣＴ装置３Ａそれぞれは、情報通信技術用装置の一例であって、情報処理を実行する情報処理ユニット（例えば、ＣＰＵやＧＰＵ等）を有する。各ＩＣＴ装置３Ａは、情報処理を実行する際に発熱する。
【００１７】
このため、空調機５は、各ＩＣＴ装置３Ａ（情報処理ユニット）の温度を予め決められた温度範囲に維持すべく、冷風をサーバ室ＳＲ内に供給する。なお、供給する冷風量（以下、送風量という。）の制御手法は後述する。
【００１８】
送風機５２から供給された冷風は、ラック３を挟んで一方側の空間（以下、コールドアイルＣｉという。）に供給される。各ＩＣＴ装置３Ａを冷却して温度が上昇した空気は、ラック３を挟んで他方側の空間（以下、ホットアイルＨｉという。）に排出される。
【００１９】
コールドアイルＣｉとホットアイルＨｉとは、仕切部材（図示せず。）にて仕切られている。このため、コールドアイルＣｉに供給された冷風の多くは、各ＩＣＴ装置３Ａ内を流通してホットアイルＨｉに流れ込む。
【００２０】
ホットアイルＨｉ内の空気は、概ね空調機５に吸引されて冷却される。しかし、例えば、以下の原因により、ホットアイルＨｉ内の空気の一部が、空調機５に吸引されることなく、コールドアイルＣｉに流入してしまう場合がある。
【００２１】
上記の原因は、例えば、（ａ）仕切部材による仕切が不完全な場合、（ｂ）サーバ室ＳＲから空調機５の吸入側に至る流路の圧力損失が大きい場合、及び（ｃ）送風機５２からサーバ室ＳＲに供給される送風量が不適切な場合等である。
【００２２】
なお、「ホットアイルＨｉ内の空気の一部が、空調機５に吸引されることなく、コールドアイルＣｉに流入してしまう」現象を「再循環」という。再循環した空気量を「再循環風量」という。
【００２３】
「コールドアイルＣｉに供給された冷風が複数のＩＣＴ装置３Ａを迂回してホットアイルＨｉ等に流入してしまう現象」を「冷風がショートサーキットした」という。ショートサーキットした冷風量を「ショートサーキット風量」という。
【００２４】
制御部５３は、複数のＩＣＴ装置３Ａを冷却することが可能な送風量を確保しつつ、再循環風量及びショートサーキット風量が小さくなるように、送風量を制御する。
２．空調システムの詳細
＜基本制御モード＞
空調システムは、図２に示されるように、第１温度センサＳ１、第２温度センサＳ２及び第３温度センサＳ３を備える。第１温度センサＳ１、第２温度センサＳ２及び第３温度センサＳ３それぞれが検出した温度を示す信号は、制御部５３に入力されている。
【００２５】
第１温度センサＳ１は、空調機５から吹き出される空気の温度を検出する。第２温度センサＳ２は、各ＩＣＴ装置３Ａの吸気側の空気温度、つまりコールドアイルＣｉの空気温度を検出する。第３温度センサＳ３は、空調機５に吸引される空気の温度を検出する。
【００２６】
以下、第１温度センサＳ１が検出した空気温度を供給温度（Ｔａｃ＿ｏｕｔ）とし、第２温度センサＳ２が検出した空気温度を吸込温度（Ｔｍ＿ｉｎ）とし、第３温度センサＳ３が検出した空気温度を戻り温度（Ｔａｃ＿ｉｎ）とし、送風機５２の送風量を空調風量（Ｖａｃ）とし、複数のＩＣＴ装置３Ａの発熱量、つまりコールドアイルＣｉから供給される冷風に吸熱すべき発熱量を機器発熱量（Ｑｍ）と記載する。
【００２７】
制御部５３は、吸込温度（Ｔｍ＿ｉｎ）が目標とする温度となるように設定温度を変更制御する。設定温度とは、空調機５で発生させる冷却能力の大きさを示すパラメータである。空調機５は、設定温度が小さくなるほど大きな冷却能力を発生させ、設定温度が高くなるほど小さな冷却能力を発生させる。
【００２８】
本実施形態に係る制御部５３は、吸込温度（Ｔｍ＿ｉｎ）又は供給温度（Ｔａｃ＿ｏｕｔ）が設定温度となるように冷却能力を制御する。
＜風量制御モード＞
制御部５３は、風量制御モードが実行可能である。風量制御モードとは、再循環風量及びショートサーキット風量が小さくなるように、送風量を制御するモードである。具体的には、制御部５３は、風量制御モードの実行時には、第１風量制御モード及び第２風量制御モードのうちいずれかを実行する。
【００２９】
第１風量制御モードは、ショートサーキット風量を小さくするための制御モードである。第２風量制御モードは、再循環風量を小さくするための制御モードである。本実施形態に係る制御部５３は、第２風量制御モードを実行して再循環風量を小さくした状態で、第１風量制御モードを実行してショートサーキット風量を小さくする。
【００３０】
＜第１風量制御モード＞
第１風量制御モードは、吸込温度（Ｔｍ＿ｉｎ）から供給温度（Ｔａｃ＿ｏｕｔ）が減じられた値が予め決められた第１閾値（α）未満であり、かつ、空調風量（Ｖａｃ）、吸込温度（Ｔｍ＿ｉｎ）及び機器発熱量（Ｑｍ）を利用して演算したＩＣＴ装置３Ａの吹出側、つまりホットアイルＨｉの空気温度（ＶＴｍ＿ｏｕｔ）から戻り温度（Ｔａｃ＿ｉｎ）が減じられた値が予め決められた第２閾（β）値より大きい場合に、現時の風量より風量を減少させる制御モードである。
【００３１】
つまり、（Ｔｍ＿ｉｎ）−（Ｔａｃ＿ｏｕｔ）＜α  かつ  （ＶＴｍ＿ｏｕｔ）−（Ｔａｃ＿ｉｎ）＞βの場合には、制御部５３は空調風量（Ｖａｃ）を低減する。
制御部５３は、以下の数式１を用いて空気温度（ＶＴｍ＿ｏｕｔ）を演算する。
【００３２】
（ＶＴｍ＿ｏｕｔ）＝Ｑｍ／（ｃ・ρ・Ｖａｃ）＋（Ｔｍ＿ｉｎ）・・・数式１
但し、「ｃ」は空気の比熱であり、「ρ」は当該空気の密度である。温度変化に伴う比熱及び密度の変化は無視する。以下、空気温度（ＶＴｍ＿ｏｕｔ）を仮想吹出温度（ＶＴｍ＿ｏｕｔ）という。
【００３３】
なお、数式１の導出過程は、以下の通りである。
Ｑｍ＝ｃ・ρ・Ｖｍ（（Ｔｍ＿ｏｕｔ）−（Ｔｍ＿ｉｎ））・・・数式２
但し、Ｖｍは、ＩＣＴ装置３Ａ（ラック３）を通過する風量である。（Ｔｍ＿ｏｕｔ）は、各ＩＣＴ装置３Ａの排気側の空気温度、つまりホットアイルＨｉの空気温度ある。
【００３４】
数式２より、以下の数式３が得られる。
（Ｔｍ＿ｏｕｔ）＝Ｑｍ／（ｃ・ρ・Ｖｍ）＋（Ｔｍ＿ｉｎ）・・・数式３
数式３において、Ｖｍ＝空調風量（Ｖａｃ）と仮定し、（Ｔｍ＿ｏｕｔ）＝仮想吹出温度（ＶＴｍ＿ｏｕｔ）とすることにより、数式１が得られる。
【００３５】
＜第２風量制御モード＞
第２風量制御モードは、吸込温度（Ｔｍ＿ｉｎ）から供給温度（Ｔａｃ＿ｏｕｔ）を減じられた値が第１閾値（α）より大きい場合に、現時の風量より風量を増大させる制御モードである。つまり、（Ｔｍ＿ｉｎ）−（Ｔａｃ＿ｏｕｔ）＞αの場合、制御部５３は空調風量（Ｖａｃ）を増加する。
【００３６】
＜風量制御モードの詳細＞
図３は風量制御モードを実行するためのフローチャートの一例である。当該フローチャートに示される制御は、ＲＯＭ等の不揮発性記憶部に記憶されたプログラムに従って制御部５３にて実行される。
【００３７】
制御部５３は、ＣＰＵ、ＲＯＭ及びＲＡＭ等を有するマイクロコンピュータにて構成されている。なお、以下の説明中、（Ｓ１）や（Ｓ２）等は、図３に示された制御ステップ番号を示す。
【００３８】
制御部５３は、先ず、戻り温度（Ｔａｃ＿ｉｎ）、供給温度（Ｔａｃ＿ｏｕｔ）、空調風量（Ｖａｃ）、吸込温度（Ｔｍ＿ｉｎ）、空調機５で発生している冷却能力（Ｑａｃ）を取得する（Ｓ１）。次に、制御部５３は、（Ｔｍ＿ｉｎ）−（Ｔａｃ＿ｏｕｔ）＞αであるか否かを判定する（Ｓ２）。
【００３９】
制御部５３は、（Ｔｍ＿ｉｎ）−（Ｔａｃ＿ｏｕｔ）＞αであると判定した場合には（Ｓ２：ＹＥＳ）、空調風量（Ｖａｃ）を増加する第２風量制御モードを実行する（Ｓ３）。制御部５３は、（Ｔｍ＿ｉｎ）−（Ｔａｃ＿ｏｕｔ）＞αでないと判定した場合には（Ｓ２：ＮＯ）、仮想吹出温度（ＶＴｍ＿ｏｕｔ）を演算する（Ｓ４）。
【００４０】
本実施形態に係る制御部５３は、冷却能力（Ｑａｃ）＝機器発熱量（Ｑｍ）として仮想吹出温度（ＶＴｍ＿ｏｕｔ）を演算する。制御部５３は、（ＶＴｍ＿ｏｕｔ）−（Ｔａｃ＿ｉｎ）＞βであるか否かを判定する（Ｓ５）。
【００４１】
制御部５３は、（ＶＴｍ＿ｏｕｔ）−（Ｔａｃ＿ｉｎ）＞βであると判定した場合には（Ｓ５：ＹＥＳ）、現時の風量より風量を減少させる第１風量制御モードを実行する（Ｓ６）。制御部５３は、（ＶＴｍ＿ｏｕｔ）−（Ｔａｃ＿ｉｎ）＞βでないと判定した場合には（Ｓ５：ＮＯ）、現時の風量を維持する（Ｓ７）。
【００４２】
３．本実施形態に係る空調システムの特徴
仮想吹出温度（ＶＴｍ＿ｏｕｔ）と実際の各ＩＣＴ装置３Ａの排気側の空気温度（Ｔｍ＿ｏｕｔ）は、以下の傾向にあることが実験や数値シミレーションにより確認されている。
【００４３】
Ｖａｃ＞Ｖｍの場合：（ＶＴｍ＿ｏｕｔ）＜（Ｔｍ＿ｏｕｔ）・・・関係式１
Ｖａｃ＜Ｖｍの場合：（ＶＴｍ＿ｏｕｔ）＞（Ｔｍ＿ｏｕｔ）・・・関係式２
図４に示されるように、空調風量（Ｖａｃ）とＩＣＴ装置３Ａを通過する風量（以下、ＩＣＴ風量という。）Ｖｍとの比が小さくなるほど、再循環風量が小さくなる傾向がある。
【００４４】
図４に示される領域１は、空調風量（Ｖａｃ）＞ＩＣＴ風量（Ｖｍ）となる領域である。領域１では、空調風量（Ｖａｃ）が減少しても再循環風量の増減に大きく影響しないため、省エネの観点から空調風量（Ｖａｃ）を減少させることが望ましい。つまり、領域１では、第１風量制御モードが実行されることが望ましい。
【００４５】
図４に示される領域２は、空調風量（Ｖａｃ）＜ＩＣＴ風量（Ｖｍ）となる領域である。領域２は、再循環風量を抑制すべき領域であるので、空調風量（Ｖａｃ）を増加させる第２風量制御モードを実行することが望ましい。
【００４６】
したがって、本実施形態に係る空調システムは、ＩＣＴ装置３Ａの吹出側空気温度を検出する温度センサを設けることなく、供給風量を適切に制御することが可能となり得る。
図４に示される傾向は、実験や数値シミレーションにより確認されている。第１閾値（α）及び第２閾（β）は、当該空調システムが適用されるサーバ室ＳＲの構造等により異なる。このため、第１閾値（α）及び第２閾（β）は、実験や数値シミレーションにより最適値を確認する必要がある。
【００４７】
因みに、第２温度センサＳ２が複数設けられている場合には、演算に用いる吸込温度（Ｔｍ＿ｉｎ）の値として、例えば、各第２温度センサＳ２が検出した吸込温度（Ｔｍ＿ｉｎ）のうち最高温度、又はそれら検出温度の平均値若しくは中央値等を用いてもよい。
【００４８】
なお、各ＩＣＴ装置３Ａの排気側の空気温度（以下、吹出温度（Ｔｍ＿ｏｕｔ）という。）−戻り温度（Ｔａｃ＿ｉｎ）＞βとなる場合とは、ホットアイルＨｉから戻ってくる空気の温度低下がβを超えている状態である。当該状態は、適切な空調風量（Ｖａｃ）に対して実際の空調風量（Ｖａｃ）が過多な状態である。
【００４９】
しかし、空調風量（Ｖａｃ）＜ＩＣＴ風量（Ｖｍ）の場合、つまり領域２の場合、仮想吹出温度（ＶＴｍ＿ｏｕｔ）は、関係式２から実際の吹出温度（Ｔｍ＿ｏｕｔ）より高く算出されるため、Ｖａｃ＜Ｖｍにもかかわらず、仮想吹出温度（ＶＴｍ＿ｏｕｔ）−戻り温度（Ｔａｃ＿ｉｎ）＞βを満たしてしまう可能性がある。
【００５０】
そこで、Ｖａｃ＜Ｖｍの場合には、再循環が発生し易く、かつ、吸込温度（Ｔｍ＿ｉｎ）−供給温度（Ｔａｃ＿ｏｕｔ）が大きくなるため、吸込温度（Ｔｍ＿ｉｎ）−供給温度（Ｔａｃ＿ｏｕｔ）＜αの条件があれば、ＶａｃとＶｍとの関係は、関係式１の条件を満たす可能性が高い。
【００５１】
（第２実施形態）
図３に示される判定ステップＳ２では、（Ｔｍ＿ｉｎ）−（Ｔａｃ＿ｏｕｔ）＞αであるか否かを判定した。これに対して、本実施形態では、図５に示されるように、判定ステップ２Ａでは、最高（Ｔｍ＿ｉｎ）−最低（Ｔｍ＿ｉｎ）＞α１であるか否かが判定される。
【００５２】
つまり、本実施形態に係る空調システムは、第２温度センサＳ２が複数設けられ、かつ、第１風量制御モードは、以下の条件を満たす場合に実行される。なお、下記の第１閾値（α１）及び第２閾（β１）は、実験や数値シミレーションにより適宜選定された値である。
【００５３】
すなわち、制御部５３は、複数の吸込温度（Ｔｍ＿ｉｎ）のうち最も温度が高い吸込温度（Ｔｍ＿ｉｎ）から最も温度が低い吸込温度（Ｔｍ＿ｉｎ）が減じられた値が予め決められた第１閾値（α１）未満であり、かつ、空調風量（Ｖａｃ）、吸込温度（Ｔｍ＿ｉｎ）及び仮想吹出温度（ＶＴｍ＿ｏｕｔ）から戻り温度（Ｔａｃ＿ｉｎ）が減じられた値が予め決められた第２閾値（β１）より大きい場合に、現時の風量より風量を減少させる第１風量制御モードを実行する。
【００５４】
制御部５３は、吸込温度（Ｔｍ＿ｉｎ）から供給温度（Ｔａｃ＿ｏｕｔ）を減じられた値が第１閾値（α１）より大きい場合に、現時の風量より風量を増大させる第２風量制御モードを実行する。
【００５５】
なお、上述の実施形態と同一の構成要件等は、上述の実施形態と同一の符号が付されている。このため、本実施形態では、重複する説明は省略されている。
（その他の実施形態）
上述の実施形態に係る空調システムでは、１台の空調機５を備える構成であった。しかし、本明細書に開示された発明はこれに限定されるものではない。すなわち、当該発明は、例えば、２台以上の空調機５を備える構成であってよい。
【００５６】
上述の実施形態に係る空調機５は、床下から冷風をコールドアイルＣｉに供給し、天井側からホットアイルＨｉの空気を吸引した。しかし、本明細書に開示された発明はこれに限定されるものではない。すなわち、当該発明は、例えば、天井側から冷風をコールドアイルＣｉに供給し、床下からホットアイルＨｉの空気を吸引する構成であってもよい。
【００５７】
上述の実施形態に係る制御部５３は、冷却能力（Ｑａｃ）＝機器発熱量（Ｑｍ）として仮想吹出温度（ＶＴｍ＿ｏｕｔ）を演算した。しかし、本明細書に開示された発明はこれに限定されるものではない。すなわち、当該発明は、例えば、ＩＣＴ装置３Ａの稼働状態等から機器発熱量（Ｑｍ）を演算してもよい。
【００５８】
上述の実施形態に係る制御部５３は、第２風量制御モードを実行した。しかし、本明細書に開示された発明はこれに限定されるものではない。すなわち、当該発明は、例えば、第２風量制御モードを実行しない構成であってもよい。
【００５９】
さらに、本開示は、上述の実施形態に記載された発明の趣旨に合致するものであればよく、上述の実施形態に限定されるものではない。したがって、上述した複数の実施形態のうち少なくとも２つの実施形態が組み合わせられた構成、又は上述の実施形態において、図示された構成要件もしくは符号を付して説明された構成要件のうちいずれかが廃止された構成でもよい。
【符号の説明】
【００６０】
３… ラック  ３Ａ… ＩＣＴ装置  ５… 空調機
５１… 冷却器  ５２… 送風機  ５３… 制御部
ＳＲ… サーバ室  Ｃｉ… コールドアイル  Ｈｉ… ホットアイル
Ｓ１… 第１温度センサ  Ｓ２… 第２温度センサ  Ｓ３… 第３温度センサ
【図１】
2020128848.tif 000003
【図２】
2020128848.tif 000004
【図３】
2020128848.tif 000005
【図４】
2020128848.tif 000006
【図５】
2020128848.tif 000007